(57)【要約】      （修正有）【課題】ＬＥＤ照明灯具の設置場所に応じて、ＬＥＤが適切な照射方向となるように適宜調整可能にＬＥＤ照明灯具を取り付けることができ、ＬＥＤ照明灯具による最適な照明と良好な視覚情報の確保を可能にする。【解決手段】本体ケース２１の内部にＬＥＤが正面側に向けて収容配置され、本体ケース２１の正面側に透光板２２が設置されるＬＥＤ照明灯具２０の取付構造であって、本体ケース２１の下側に突出して設けられる下側取付部２３と上側に突出して設けられる上側取付部２４とが、被取付面に固定される取付具に取り付けられ、下側取付部２３の取付箇所近傍における取付具に、被取付面に沿う横方向を軸方向とするヒンジ部８３が設けられ、上側取付部４０の取付箇所近傍における取付具の取付部材の相互が、長孔７２４とボルト９３及びナットによる、本体ケース２１の傾斜角度を調整可能にする傾斜調整機構で取り付けられる。【選択図】図１１
2012252928.tif 000002
【特許請求の範囲】
【請求項１】
本体ケースの内部にＬＥＤが正面側に向けて収容配置され、前記本体ケースの正面側に透光板が設置されるＬＥＤ照明灯具の取付構造であって、
前記本体ケースの下側に突出して設けられる下側取付部と上側に突出して設けられる上側取付部とが、被取付面に固定される取付具に取り付けられ、
前記下側取付部に、若しくは前記下側取付部の取付箇所近傍における前記取付具に、前記被取付面に沿う横方向を軸方向とする軸部が設けられ、
前記上側取付部と前記取付具の相互が、若しくは前記上側取付部の取付箇所近傍における前記取付具の取付部材の相互が、前記本体ケースの傾斜角度を調整可能にする傾斜調整機構で取り付けられる、
ことを特徴とするＬＥＤ照明灯具の取付構造。
【請求項２】
前記軸部が、前記取付具の取付部材に設けられているヒンジ部であることを特徴とする請求項１記載のＬＥＤ照明灯具の取付構造。
【請求項３】
前記傾斜調整機構が、前記取付具の一方の取付部材に形成されている略弧状の長孔と、前記取付具の他方の取付部材に設けられ前記長孔に取り付けられる固定具とから構成されることを特徴とする請求項１又は２記載のＬＥＤ照明灯具の取付構造。
【請求項４】
前記ヒンジ部を有する取付部材と前記固定具が取り付けられる取付部材とが上下方向に延びる略細長板状の同一の取付部材であり、
前記略細長板状の取付部材に前記下側取付部と前記上側取付部とが沿うようにして取り付けられることを特徴とする請求項３記載のＬＥＤ照明灯具の取付構造。
【請求項５】
前記取付具が、前記被取付面に沿う横方向に延びる下側レール部材及び上側レール部材と、前記下側レール部材及び前記上側レール部材に沿ってそれぞれ摺動可能な下側摺動部及び上側摺動部とを有し、
前記下側摺動部及び前記上側摺動部に対して、直接的若しくは間接的に前記下側取付部及び前記上側取付部がそれぞれ取り付けられることを特徴とする請求項１〜４の何れかに記載のＬＥＤ照明灯具の取付構造。
【請求項６】
本体ケースの内部にＬＥＤが正面側に向けて収容配置され、前記本体ケースの正面側に透光板が設置されるＬＥＤ照明灯具の取付方法であって、
下側レール部材及び上側レール部材を被取付面に沿って横方向に延びるように配置して被取付面に固定すると共に、前記下側レール部材及び前記上側レール部材に下側摺動部及び上側摺動部をそれぞれ摺動可能に設置する工程と、
略細長板状の取付部材を、下部に設けられているヒンジ部の下側部分で前記下側摺動部に固定すると共に、固定具を前記上側摺動部の略弧状の長孔に取り付けて傾斜調整機構を設けるようにして、前記取付部材の上部を前記固定具で前記上側摺動部に固定する工程と、
前記本体ケースの下側に突出して設けられる下側取付部と上側に突出して設けられる上側取付部とを、前記略細長板状の取付部材に沿うようにして取り付ける工程と、
必要に応じて、前記固定具を緩め、前記固定具を前記長孔に沿って移動することにより前記ヒンジ部を軸に前記本体ケースを傾動して前記本体ケースの傾斜角度を調整し、その調整後に前記固定具を締める工程と、
を備えることを特徴とするＬＥＤ照明灯具の取付方法。
【発明の詳細な説明】
【技術分野】
【０００１】
本発明は、例えば道路トンネルの照明灯具として用いられるＬＥＤ照明灯具の取付構造及び取付方法に関する。
【背景技術】
【０００２】
道路トンネルの照明灯具は、略直方体形の本体ケースの内部にナトリウム灯或いは蛍光灯の光源が収容され、本体ケースの正面側に透光板が設置され、光源の光が透光板を介して出射されるものが一般的である。この本体ケースの左右両端部近傍の背面側には、ボルト挿通孔を有する取付部が上方や下方に突出するようにして設けられており、トンネル壁面の取付部と対応する位置に予めアンカーボルトで取り付けられている取付具のボルト挿通孔に取付部のボルト挿通孔の位置が合わせられ、双方のボルト挿通孔に挿入されるボルトにナットを螺合することにより、照明灯具が取り付けられる（特許文献１参照）。
【先行技術文献】
【特許文献】
【０００３】
【特許文献１】特開２００４−６３４２４号公報
【発明の概要】
【発明が解決しようとする課題】
【０００４】
ところで、近年では道路トンネルの照明灯具として、光源にＬＥＤ（発光ダイオード）を用いるＬＥＤ照明灯具が提唱されている。しかしながら、道路トンネルの照明には、道路状況や交通状況を的確に把握するための良好な視覚情報を確保することが必要となる一方で、ＬＥＤ照明灯具の光源であるＬＥＤは指向性を有するため、ＬＥＤ照明灯具の設置場所に応じて、ＬＥＤが適切な照射方向となるように適宜調整可能にＬＥＤ照明灯具を取り付けられる構成が求められる。
【０００５】
本発明は上記課題に鑑み提案するものであって、ＬＥＤ照明灯具の設置場所に応じて、ＬＥＤが適切な照射方向となるように適宜調整可能にＬＥＤ照明灯具を取り付けることができ、ＬＥＤ照明灯具による最適な照明と良好な視覚情報の確保を可能にするＬＥＤ照明灯具の取付構造及び取付方法を提供することを目的とする。また、本発明の他の目的は、多様な長さのＬＥＤ照明灯具に対応した取り付けを行うことができると共に、ＬＥＤ照明灯具の横方向の設置位置を適宜調整して、ＬＥＤ照明灯具による最適な照明と良好な視覚情報の確保に資するＬＥＤ照明灯具の取付構造及び取付方法を提供することにある。
【課題を解決するための手段】
【０００６】
本発明のＬＥＤ照明灯具の取付構造は、本体ケースの内部にＬＥＤが正面側に向けて収容配置され、前記本体ケースの正面側に透光板が設置されるＬＥＤ照明灯具の取付構造であって、前記本体ケースの下側に突出して設けられる下側取付部と上側に突出して設けられる上側取付部とが、被取付面に固定される取付具に取り付けられ、前記下側取付部に、若しくは前記下側取付部の取付箇所近傍における前記取付具に、前記被取付面に沿う横方向を軸方向とする軸部が設けられ、前記上側取付部と前記取付具の相互が、若しくは前記上側取付部の取付箇所近傍における前記取付具の取付部材の相互が、前記本体ケースの傾斜角度を調整可能にする傾斜調整機構で取り付けられることを特徴とする。
この構成によれば、ＬＥＤ照明灯具の設置場所に応じて、ＬＥＤが適切な照射方向となるように適宜調整可能にＬＥＤ照明灯具を取り付けることができ、軸部を中心とする本体ケースの傾斜調整により、ＬＥＤ照明灯具による最適な照明と良好な視覚情報を確保することができる。
【０００７】
本発明のＬＥＤ照明灯具の取付構造は、前記軸部が、前記取付具の取付部材に設けられているヒンジ部であることを特徴とする。
この構成によれば、細長板にボルト挿通孔が形成されている取付部を有する一般的に多いタイプのＬＥＤ照明灯具に対し、下側取付部側に特別な加工を施さずに本取付構造を適用することができ、汎用性を高めることができる。
【０００８】
本発明のＬＥＤ照明灯具の取付構造は、前記傾斜調整機構が、前記取付具の一方の取付部材に形成されている略弧状の長孔と、前記取付具の他方の取付部材に設けられ前記長孔に取り付けられる固定具とから構成されることを特徴とする。
この構成によれば、細長板にボルト挿通孔が形成されている取付部を有する一般的に多いタイプのＬＥＤ照明灯具に対し、上側取付部側に特別な加工を施さずに本取付構造を適用することができ、汎用性を高めることができる。更に、前述の取付部材のヒンジ部と併せた構成とする場合には、上側取付部側と下側取付部側の双方に特別な加工を施さずに本取付構造を適用することができ、汎用性を一層高めることができる。また、略弧状の長孔と固定具で傾斜調整機構を構成することにより、ＬＥＤ照明灯具の連続的且つ微妙な角度調整を行うことが可能となると共に、ＬＥＤ照明灯具を所要傾斜角度で安定して固定することができる。
【０００９】
本発明のＬＥＤ照明灯具の取付構造は、前記ヒンジ部を有する取付部材と前記固定具が取り付けられる取付部材とが上下方向に延びる略細長板状の同一の取付部材であり、前記略細長板状の取付部材に前記下側取付部と前記上側取付部とが沿うようにして取り付けられることを特徴とする。
この構成によれば、ヒンジ部を構成する取付部材と傾斜調整機構を構成する取付部材を同一とすることにより、傾斜動作や傾斜後の設置状態の安定性を高めることができると共に、取付具を構成する取付部材の個数を削減して製造コストや施工コストを低減することができる。また、取付部材に取付部を沿わせることにより、ＬＥＤ照明灯具を安定して取り付けることができる。
【００１０】
本発明のＬＥＤ照明灯具の取付構造は、前記取付具が、前記被取付面に沿う横方向に延びる下側レール部材及び上側レール部材と、前記下側レール部材及び前記上側レール部材に沿ってそれぞれ摺動可能な下側摺動部及び上側摺動部とを有し、前記下側摺動部及び前記上側摺動部に対して、直接的若しくは間接的に前記下側取付部及び前記上側取付部がそれぞれ取り付けられることを特徴とする。好ましくは、下側摺動部と上側摺動部に対して固定される略細長板状の取付部材を介して下側取付部及び上側取付部が取り付けられるようにするとよい。
この構成によれば、レール部材に沿って摺動部を摺動させることにより、多様な長さのＬＥＤ照明灯具に対応した取り付けを行うことができると共に、ＬＥＤ照明灯具の横方向の設置位置を適宜調整して、ＬＥＤ照明灯具による最適な照明と良好な視覚情報の確保に資する。更に、下側摺動部と上側摺動部に対して固定される略細長板状の取付部材を介して下側取付部及び上側取付部と取り付ける場合には、その取付部材を安定してスムーズに摺動させて所要位置に定置し、ＬＥＤ照明灯具の取付作業を容易に行うことができる。
【００１１】
また、本発明のＬＥＤ照明灯具の取付構造は、本体ケースの内部にＬＥＤが正面側に向けて収容配置され、前記本体ケースの正面側に透光板が設置されるＬＥＤ照明灯具の取付構造であって、前記本体ケースの下側に突出して設けられる下側取付部と上側に突出して設けられる上側取付部とが、被取付面に固定される取付具に取り付けられ、前記取付具が、前記被取付面に沿う横方向に延びる下側レール部材及び上側レール部材と、前記下側レール部材及び前記上側レール部材に沿ってそれぞれ摺動する下側摺動部及び上側摺動部とを有し、前記下側摺動部及び前記上側摺動部に対して、直接的若しくは間接的に前記下側取付部と前記上側取付部とが取り付けられることを特徴とする。好ましくは、下側摺動部と上側摺動部に対して固定される略細長板状の取付部材を介して下側取付部及び上側取付部が取り付けられる構成、更にはこの取付部材に被取付面に沿う横方向を軸方向とする軸部が設けられる構成とするとよい。
この構成によれば、レール部材に沿って摺動部を摺動させることにより、多様な長さのＬＥＤ照明灯具に対応した取り付けを行うことができると共に、ＬＥＤ照明灯具の横方向の設置位置を適宜調整して、ＬＥＤ照明灯具による最適な照明と良好な視覚情報の確保に資する。更に、下側摺動部と上側摺動部に対して固定される略細長板状の取付部材を介して下側取付部及び上側取付部と取り付ける場合には、その取付部材を安定してスムーズに摺動させて所要位置に定置し、ＬＥＤ照明灯具の取付作業を容易に行うことができる。更に、軸部を設ける場合には、湾曲するトンネル内壁面２等の被取付面における下側レール部材と上側レール部材の取付位置の突出量の相違に柔軟に対応することが可能となる。
【００１２】
本発明のＬＥＤ照明灯具の取付方法は、本体ケースの内部にＬＥＤが正面側に向けて収容配置され、前記本体ケースの正面側に透光板が設置されるＬＥＤ照明灯具の取付方法であって、下側レール部材及び上側レール部材を被取付面に沿って横方向に延びるように配置して被取付面に固定すると共に、前記下側レール部材及び前記上側レール部材に下側摺動部及び上側摺動部をそれぞれ摺動可能に設置する工程と、略細長板状の取付部材を、下部に設けられているヒンジ部の下側部分で前記下側摺動部に固定すると共に、固定具を前記上側摺動部の略弧状の長孔に取り付けて傾斜調整機構を設けるようにして、前記取付部材の上部を前記固定具で前記上側摺動部に固定する工程と、前記本体ケースの下側に突出して設けられる下側取付部と上側に突出して設けられる上側取付部とを、前記略細長板状の取付部材に沿うようにして取り付ける工程と、必要に応じて、前記固定具を緩め、前記固定具を前記長孔に沿って移動することにより前記ヒンジ部を軸に前記本体ケースを傾動して前記本体ケースの傾斜角度を調整し、その調整後に前記固定具を締める工程とを備えることを特徴とする。
この構成によれば、ＬＥＤ照明灯具の設置場所に応じて、ＬＥＤが適切な照射方向となるように適宜調整可能にＬＥＤ照明灯具を取り付けることができ、軸部を中心とする本体ケースの傾斜調整により、ＬＥＤ照明灯具による最適な照明と良好な視覚情報を確保することができる。また、レール部材に沿って摺動部を摺動させることにより、多様な長さのＬＥＤ照明灯具に対応した取り付けを行うことができると共に、ＬＥＤ照明灯具の横方向の設置位置を適宜調整して、ＬＥＤ照明灯具による最適な照明と良好な視覚情報の確保に資する。また、細長板にボルト挿通孔が形成されている取付部を有する一般的に多いタイプのＬＥＤ照明灯具に対し、上上側取付部側と下側取付部側の双方に特別な加工を施さずに本取付方法を適用することができ、汎用性を一層高めることができる。また、略弧状の長孔と固定具で傾斜調整機構を構成することにより、ＬＥＤ照明灯具の連続的且つ微妙な角度調整を行うことが可能となると共に、ＬＥＤ照明灯具を所要傾斜角度で安定して固定することが可能となる。また、前記略細長板状の取付部材を用いることにより、ＬＥＤ照明灯具２０の傾斜動作や傾斜後の設置状態の安定性を高めることができると共に、取付部材の個数を削減して製造コストや施工コストを低減することができ、更に、取付部材に取付部を沿わせることにより、ＬＥＤ照明灯具を安定して取り付けることができる。
【発明の効果】
【００１３】
本発明によれば、ＬＥＤ照明灯具の設置場所に応じて、ＬＥＤが適切な照射方向となるように適宜調整可能にＬＥＤ照明灯具を取り付けることができ、ＬＥＤ照明灯具による最適な照明と良好な視覚情報を確保することができる。また、多様な長さのＬＥＤ照明灯具に対応した取り付けを行うことができると共に、ＬＥＤ照明灯具の横方向の設置位置を適宜調整して、ＬＥＤ照明灯具による最適な照明と良好な視覚情報の確保に資する。
【図面の簡単な説明】
【００１４】
【図１】実施形態のＬＥＤ照明灯具の取付構造が設けられている道路トンネルの断面図。
【図２】（ａ）は実施形態のＬＥＤ照明灯具の取付構造の一部断面側面図、（ｂ）はそのＸ−Ｘ矢視図。
【図３】実施形態のＬＥＤ照明灯具の取付構造により別例のＬＥＤ照明灯具を取り付けた状態のＸ−Ｘ矢視に相当する図。
【図４】実施形態のＬＥＤ照明灯具の取付構造におけるＬＥＤ照明灯具の傾斜角度の調整を説明する説明図。
【図５】（ａ）及び（ｂ）は下側と上側のレール部材の被取付面への固定手順を説明する斜視説明図。
【図６】（ａ）及び（ｂ）は上側レール部材への角ナット及びブラケットの取付手順を説明する斜視説明図。
【図７】（ａ）及び（ｂ）は取付板の取付手順を説明する斜視説明図。
【図８】取付板の近傍にＬＥＤ照明灯具を配置した状態の斜視説明図。
【図９】取付板にＬＥＤ照明灯具の取付部を沿うように配置した状態の斜視説明図。
【図１０】取付板へのＬＥＤ照明灯具のボルト固定を説明する斜視説明図。
【図１１】実施形態のＬＥＤ照明灯具の取付構造の斜視図。
【発明を実施するための形態】
【００１５】
〔実施形態のＬＥＤ照明灯具の取付構造及び取付方法〕
次に、本発明による実施形態のＬＥＤ照明灯具の取付構造及び取付方法について説明する。
【００１６】
本実施形態のＬＥＤ照明灯具の取付構造１０は、例えば図１の道路トンネル１に適用され、ＬＥＤ照明灯具２０が路面３に向かって照明光を照射するようにして、道路トンネル１の湾曲するトンネル内壁面２に固定される取付具３０でＬＥＤ照明灯具２０を取り付けるものである。
【００１７】
取付構造１０で取り付けられるＬＥＤ照明灯具２０は、図２及び図８〜図１１に示すように、本体ケース２１の内部にＬＥＤ（図示省略）が正面側に向けて収容配置され、本体ケース２１の正面側に透光板２２が設置されているものである。本体ケース２１の背面側には、下側取付部２３が下側に突出して設けられていると共に、上側取付部２４が上側に突出して設けられ、下側取付部２３と上側取付部２４は左右両端にそれぞれ寄った位置に一対で設けられている。
【００１８】
本実施形態における下側取付部２３と上側取付部２４は、上下方向に延びる略細長板状の一連の部材の上部と下部になっており、本体ケース２１の背面側にボルト固定等で固定されるが、下側取付部２３と上側取付部２４をそれぞれ細長板状の別部材とし、本体ケース２１の背面側にボルト固定等で固定される構成としてもよい。また、下側取付部２３と上側取付部２４にはそれぞれボルト挿通孔２５が形成されているが、本実施形態の取付構造１０では後述の如く上側取付部２４のボルト挿通孔２５のみが使用される。
【００１９】
ＬＥＤ照明灯具２０を被取付面であるトンネル内壁面２に取り付ける取付具３０は、図５〜図１１に示すように、取付具３０を構成する取付部材に各々が相当する下側レール部材４０、上側レール部材５０、下側摺動部６０、上側摺動部７０、取付板８０とから構成される。下側レール部材４０と上側レール部材５０は、トンネル内壁面２に沿う横方向に延びるように設置され、その下側レール部材４０と上側レール部材５０に沿ってそれぞれ摺動可能に下側摺動部６０と上側摺動部７０が取り付けられる。略細長板状の取付板８０は、その長手方向を下側レール部材４０と上側レール部材５０の長手方向と直交するように配置され、下側摺動部６０と上側摺動部７０に架け渡すようにして下側摺動部６０と上側摺動部７０に取り付けられる。
【００２０】
下側レール部材４０、上側レール部材５０は、図５に示すように、それぞれ断面視略Ｃ字形のレール本体４１、５１を有し、レール本体４１、５１の長手方向の両端部には、上下に突出するようにして背面側に基板４２、５２が設けられている。基板４２、５２の上下の突出箇所にはそれぞれボルト挿通孔４３、５３が形成されている。
【００２１】
下側レール部材４０、及びその上側に間隔を開けて略平行に設けられる上側レール部材５０は、トンネル内壁面２の所定位置に打ち込んで固定されるコンクリートアンカー９１の雄ねじ部９１１にナット９６を螺合し（図２（ａ）参照）、ナット９６から突出した雄ねじ部９１１の部分を基板４２、５２のボルト挿通孔４３、５３に挿通し、更に、ボルト挿通孔４３、５３から突出した雄ねじ部９１１の部分にナット９２を螺合することにより、トンネル内壁面２に沿って所定位置に横方向に延びるように固定される（図２、図５参照）。
【００２２】
上側摺動部７０は、図６に示すように、上側レール部材５０のレール本体５１内に摺動可能に配置される略長方形の角ナット７１と、平面視略Ｌ字形で板状のブラケット７２とを有する。ブラケット７２の基面７２１にはボルト挿通孔７２２が形成されていると共に、その突出面７２３は上側に凸の略弧状の長孔７２４が形成されている。角ナット７１と対応配置される基面７２１のボルト挿通孔７２２にはボルト７３が挿入され、ボルト７３と角ナット７１を螺合することにより、ブラケット７２が角ナット７１に固定される。角ナット７１に固定されたブラケット７２は、角ナット７１と共にレール本体５１に沿って摺動可能となる。
【００２３】
下側摺動部６０は、上側摺動部７０の角ナット７１と同様の角ナット６１で構成され、角ナット６１が下側レール部材４０のレール本体４１内に摺動可能に配置される。尚、略長方形の角ナット６１、７１は、長辺の長さがレール本体４１の開放部４１１、５１１の幅よりも長く、長辺を上下方向とした状態では開放部４１１、５１１から抜け出さないようになっていると共に、短辺の長さが開放部４１１、５１１の幅よりも短くなっており、短辺を上下方向にして開放部４１１、５１１からレール本体４１、５１内に挿入可能になっており、挿入後に回転して長辺を上下方向にして設置すると好適である。
【００２４】
略細長板状の取付板８０は、図７に示すように、細長板である基板８１を有し、基板８１の上端部近傍にＬ字金具８２が固定され、Ｌ字金具８２の屈曲面８２１にボルト挿通孔８２２が形成されている。屈曲面８２１は、ブラケット７２に沿うように配置され、屈曲面８２１のボルト挿通孔８２２とブラケット７２の長孔７２４にボルト９３が挿通され、ボルト９３にナット９４を螺合することにより、屈曲面８２１及び取付板８０の上端部がブラケット７２に対して固定される。
【００２５】
基板８１の下端部には、ヒンジ部８３を介して固定板８４が取り付けられ、固定板８４にはボルト挿通孔８４１が形成されている。固定板８４は角ナット６１に対応配置され、固定板８４のボルト挿通孔８４１にボルト９５が挿入され、ボルト９５と角ナット６１を螺合することにより、固定板８４が角ナット６１に固定される。角ナット６１に固定された固定板８４は、角ナット６１と共にレール本体４１に沿って摺動可能となり、固定板８４とブラケット７２のレール本体４１、５１に沿った摺動により、取付板８０が下側レール部材４０と上側レール部材５０に沿って摺動するようになっている。
【００２６】
そして、基板８１がヒンジ部８３により固定板８４に対して傾動可能になっていることから、ナット９４を緩めてボルト９３を長孔７２４内を移動し、所要位置でボルト９３とナット９４を締め付けることにより、基板８１を所要の傾斜角度に調整して定置できるようになっている（図４参照）。
【００２７】
換言すれば、後述する下側取付部２３の取付箇所近傍における取付具３０の取付部材に相当する取付板８０には、被取付面に沿う横方向を軸方向とする軸部に相当するヒンジ部８３が設けられていると共に、後述する上側取付部２４の取付箇所近傍における取付具３０の取付部材に相当するブラケット７２と取付板８０の相互が、後述する本体ケース２１を傾斜角度を調整可能にする、長孔７２４とボルト９３及びナット９４による傾斜調整機構で取り付けられている。
【００２８】
また、基板８１の正面側の下端部には、上側が開放しているポケット部８５が設けられ、基板８１の周囲には、基板８１の長手方向に沿って移動可能な筒体８６が設けられている。筒体８６には正面側にナット部８６１が形成されており、ナット部８６１に締付ボルト８６２が螺合されている。筒体８６は基板８１の適宜の位置に移動可能であり、適宜の位置で締付ボルト８６２を締め付けて先端を基板８１に押し付けることにより定置可能になっている。
【００２９】
ＬＥＤ照明灯具２０の取付具３０への取り付けでは、図８〜図１１に示すように、下側取付部２３及び上側取付部２４はそれぞれ下側摺動部６０及び上側摺動部７０に対応して取り付けられている。即ち、下側取付部２３と上側取付部２４と対応する位置に摺動して配置される取付板８０に対し、下側取付部２３をポケット部８５に差し込んで、下側取付部２３と上側取付部２４を取付板８０に沿うように配置されている。また、筒体８６は、基板８１と上側取付部２４の重なり部分の周囲に配置され、締付ボルト８６２を上側取付部２４のボルト挿通孔２５に挿入し、その先端を基板８１に押し付けるようにして締め付けられている。
【００３０】
取付具３０に取り付けられたＬＥＤ照明灯具２０は、ボルト９３の長孔７２４内の移動及びボルト９３とナット９４の締め付けにより、基板８１及び本体ケース２１を所要の傾斜角度に調整して定置できるため、その照射方向を所定位置に調整することが可能である。
【００３１】
また、図３に示すように、取付具３０の下側摺動部６０と上側摺動部７０を下側レール部材４０と上側レール部材５０に沿って摺動し、取付板８０を所要位置に調整して配置することにより、長さ或いは下側取付部２３と上側取付部２４の突出位置が異なるＬＥＤ照明灯具２０ａを取り付けることも可能である。尚、下側摺動部６０と上側摺動部７０は、下側取付部２３と上側取付部２４の数と対応させて一対等の複数設けることを基本とするが、下側取付部２３と上側取付部２４の一組が下側レール部材４０と上側レール部材５０に対して固定部材で固定され、下側取付部２３と上側取付部２４の他の一組が下側摺動部６０と上側摺動部７０で下側レール部材４０と上側レール部材５０に沿って摺動可能に取り付けられるようにし、下側摺動部６０と上側摺動部７０を単数とする構成とすることも可能である。
【００３２】
次に、ＬＥＤ照明灯具２０の取付構造を形成する手順（取付方法）について説明する。
【００３３】
先ず、被取付面であるトンネル内壁面２の所定位置にコンクリートアンカー９１を打ち込み（図１、図２（ａ）参照）、このコンクリートアンカー９１に取り付けることにより、上側レール部材５０及び下側レール部材４０を被取付面であるトンネル内壁面２に沿って横方向に延びるように配置して所定位置に固定する。上側レール部材５０の固定では、打ち込んだコンクリートアンカー９１の雄ねじ部９１１にナット９６を所要位置まで螺合し（図２（ａ）参照）、図５に示すように、ナット９６から突出した雄ねじ部９１１の部分が基板５２のボルト挿通孔５３に挿通されるようにして上側レール部材５０を配置し、ボルト挿通孔５３から突出した雄ねじ部９１１の部分にナット９２を螺合して固定する。
【００３４】
同様に、下側レール部材４０の固定では、打ち込んだ別のコンクリートアンカー９１におけるナット９６から突出した雄ねじ部９１１の部分が基板４２のボルト挿通孔４３に挿通されるようにして、上側レール部材５０と所定間隔を開けて下側に下側レール部材４０を配置し、ボルト挿通孔４３から突出した雄ねじ部９１１の部分にナット９２を螺合して固定する。
【００３５】
次いで、図６に示すように、上側レール部材５０及び下側レール部材４０に上側摺動部７０及び下側摺動部６０をそれぞれ摺動可能に設置する。上側摺動部７０の取り付けでは、例えば略長方形の角ナット７１を短辺が上下方向になるようにして開放部５１１からレール本体５１内に挿入し、挿入後に回転して長辺が上下方向になるようにして配置する。そして、ブラケット７２の基面７２１を角ナット７１に対応させて配置し、ボルト挿通孔７２２にボルト７３を挿入して角ナット７１に螺合し、突出面７２３の長孔７２４の貫通方向がトンネル内壁面２に沿う横方向になるようにして、角ナット７１にブラケット７２を固定する。固定された上側摺動部７０を構成する角ナット７１及びブラケット７２は、上側レール部材５０のレール本体５１に沿って摺動可能となる。
【００３６】
下側摺動部６０の取り付けでは、例えば略長方形の角ナット６１を短辺が上下方向になるようにして開放部４１１からレール本体４１内に挿入し、挿入後に回転して長辺が上下方向になるようにして配置する。レール本体４１内に配置された下側摺動部６０を構成する角ナット６１は、下側レール部材４０のレール本体４１に沿って摺動可能となる。
【００３７】
次いで、図７に示すように、略細長板状の取付部材である取付板８０の上部を、固定具であるボルト９３及びナット９４で上側摺動部７０に固定すると共に、取付板８０の下部に設けられているヒンジ部８３の下側部分である固定板８４を下側摺動部６０に固定する。
【００３８】
取付板８０の上部の固定では、基板８１の上端部近傍に配置固定されているＬ字金具８２の屈曲面８２１をブラケット７２の突出面７２３に沿うように配置し、突出面７２３の長孔７２４と屈曲面８２１のボルト挿通孔８２２にボルト９３を挿通し、ナット９４を螺合することにより固定する。このボルト９３はナット９４を緩めることで略弧状の長孔７２４内を移動可能であり、ボルト９３及びナット９４と、長孔７２４は取付板８０の傾斜調整機構を構成する。尚、略弧状の長孔７２４の下縁或いは上縁には、ＬＥＤ照明灯具２０の傾斜状態の目安を示す傾斜角度の目盛りを示すと良好である。また、固定板８４の固定では、固定板８４を角ナット６１に対応させて配置し、ボルト挿通孔８４１にボルト９５を挿入して角ナット６１に螺合して固定する。
【００３９】
その後、図８〜図１１に示すように、ＬＥＤ照明灯具２０の本体ケース２１の下側取付部２３をそれぞれ取付板８０のポケット部８５に差し込み、上側取付部２４と下側取付部２３を取付板８０の基板８１に沿うように配置し、筒体８６を下降して基板８１と上側取付部２４の重なり部分の周囲に配置し、締付ボルト８６２を上側取付部２４のボルト挿通孔２５に挿入し、その先端を基板８１に押し付けるようにして締め付ける。この締付ボルト８６２の締め付けにより、上側取付部２４と下側取付部２３は、取付板８０の基板８１に沿うようにして固定される。
【００４０】
そして、取り付けたＬＥＤ照明灯具２０の傾斜角度を調整する必要がある場合には、ナット９４を緩めてボルト９３を略弧状の長孔７２４に沿って移動させて、基板８１をヒンジ部８３を軸にして傾動させ、本体ケース２１を所要の傾斜角度に調整して配置し、その調整後にナット９４を締め付けてＬＥＤ照明灯具２０を所要傾斜角度の状態で固定する。
【００４１】
本実施形態のＬＥＤ照明灯具の取付構造１０或いは取付方法によれば、傾斜調整機構とヒンジ部８３により、ＬＥＤが適切な照射方向となるように傾斜調整可能にＬＥＤ照明灯具２０を取り付けることができ、ＬＥＤ照明灯具２０による最適な照明と良好な視覚情報を確保することができる。
【００４２】
また、取付具３０にヒンジ部８３を設け、取付具３０に略弧状の長孔７２４とこれに取り付けられるボルト９３及びナット９４を設けることにより、細長板にボルト挿通孔２５が形成されている取付部２３、２４を有する一般的に多いタイプのＬＥＤ照明灯具２０に対し、下側取付部２３側と上側取付部２４側の双方に特別な加工を施さずに本取付構造１０を適用することができ、汎用性を高めることができる。また、略弧状の長孔７２４とボルト９３及びナット９４で傾斜調整機構を構成することにより、ＬＥＤ照明灯具２０の連続的且つ微妙な角度調整を行うことが可能となると共に、ＬＥＤ照明灯具２０を所要傾斜角度で安定して固定することができる。
【００４３】
また、略細長板状の取付板８０にヒンジ部８３を設け、傾斜調整機構のボルト９３及びナット９４を取り付けることにより、ＬＥＤ照明灯具２０の傾斜動作や傾斜後の設置状態の安定性を高めることができると共に、取付具３０を構成する取付部材の個数を削減して製造コストや施工コストを低減することができる。更に、この取付板８０に取付部２３、２４を沿わせることにより、ＬＥＤ照明灯具２０を安定して取り付けることができる。
【００４４】
また、レール部材４０、５０に沿って摺動部６０、７０を摺動させることにより、多様な長さのＬＥＤ照明灯具２０に対応した取り付けを行うことができると共に、ＬＥＤ照明灯具２０の横方向の設置位置を適宜調整して、ＬＥＤ照明灯具２０による最適な照明と良好な視覚情報の確保に資する。更に、略細長板状の取付板８０を介して下側取付部２３及び上側取付部２４と取り付けることにより、取付板８０を安定してスムーズに摺動させて所要位置に定置し、ＬＥＤ照明灯具２０の取付作業を容易に行うことができる。
【００４５】
〔実施形態の変形例等〕
本明細書開示の発明は、各発明や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含むものである。そして、下記変形例も包含する。
【００４６】
例えば上記実施形態では、ヒンジ部８３を有する取付部材と固定具であるボルト９３及びナット９４が設けられる取付部材を、上下方向に延びる略細長板状の同一の取付板８０としたが、ヒンジ部８３を有する取付部材と、固定具が取り付けられる取付部材を基板８１を中間で切断した形状等の別部材とし、ヒンジ部８３を有する取付部材に下側取付部２３が取り付けられ、別部材の固定具が取り付けられる取付部材に上側取付部２４が取り付けられる構成等とすることも可能である。
【００４７】
また、取付具３０の取付板８０にヒンジ部８３と固定板８４が設けられる構成に代え、下側取付部２３の下部にヒンジ部が設けられ、そのヒンジ部の下側部分が角ナット６１にボルト９５で固定されるなど、ヒンジ部等の軸部が下側取付部２３に設けられ、その下側取付部２３が取付具３０に取り付けられる構成とすることも可能である。また、取付具３０の取付部材相互である取付板８０とブラケット７２とが、ボルト９３及びナット９４と長孔７２４による傾斜調整機構で取り付けられる構成に代え、上側取付部２４の上部にＬ字金具８２に相当する部位が設けられ、その上側取付部２４の部位とブラケット７２等の取付具３０とが、ボルト９３及びナット９４と長孔７２４等による傾斜調整機構で取り付けられる構成とすることも可能である。
【００４８】
また、本発明における傾斜調整機構は、ブラケット７２の長孔７２４と、取付板８０に取り付けられるボルト９３及びナット９４による構成に限定されず、例えばブラケット７２側にボルト９３を挿通するボルト挿通孔が設けられ、取付板８０の上部にＬ字金具８２の屈曲面８２１に略弧状の長孔が形成され、この長孔にブラケット７２のボルト挿通孔に挿通されたボルト９３が挿通されてナット９４が螺合される構成、或いはブラケット７２の突出面７２３の上縁に相当する部位に凹部が段階的に複数形成され、Ｌ字金具８２のボルト挿通孔８２２を縦長の長孔とし、この長孔に挿通されるボルト９３が嵌め込まれる前記凹部を選択してボルト９３とナット９４が螺合される、断続的に傾斜角度を調整するギア方式の構成等とすることも可能である。
【００４９】
また、本発明のＬＥＤ照明灯具の取付構造は、傾斜調整機構や軸部を設けずに、取付具の下側レール部材６０及び上側レール部材５０に沿ってそれぞれ摺動する下側摺動部及び上側摺動部に対して、ＬＥＤ照明灯具の下側取付部と上側取付部とが直接的又は間接的に取り付けられる構成とすることも可能である。例えば下側摺動部と上側摺動部とをそれぞれ一対等の複数の角ナット６１、７１で構成し、この角ナット６１、７１に下側取付部２３と上側取付部２４とがボルト締めで固定される構成、或いは例えば下側摺動部と上側摺動部とをそれぞれ一対等の複数の角ナット６１、７１で構成し、この角ナット６１、７１に取付板８０の基板８１に相当する部材の下端部と上端部がボルト締めで固定され、この固定された部材に下側取付部２３と上側取付部２４とがポケット部８５と筒体８６に相当する部材等で固定される構成等とすると、多様な長さや多様な下側取付部２３と上側取付部２４の突出位置を有するＬＥＤ照明灯具２０に適応可能となると共に、各下側摺動部と各上側摺動部を摺動可能にすることで、ＬＥＤ照明灯具２０の横方向の設置位置を適宜調整して最適な位置にＬＥＤ照明灯具２０を設置することが可能となる。
【００５０】
更に、本発明のＬＥＤ照明灯具の取付構造は、傾斜調整機構を設けずに、下側取付部、上側取付部又は取付板８０に相当する部材に軸部を設け、取付具の下側レール部材６０及び上側レール部材５０に沿ってそれぞれ摺動する下側摺動部及び上側摺動部に対して、ＬＥＤ照明灯具の下側取付部と上側取付部とが取り付けられる構成とすることも可能である。例えば下側摺動部と上側摺動部とをそれぞれ一対等の複数の角ナット６１、７１で構成し、この角ナット７１に取付板８０の基板８１に相当する部材の上端部がボルト締めで固定されると共に、取付板８０のヒンジ部８３と固定板８４に相当する部材が設けられ、固定板８４に相当する部材が角ナット６１にボルト締めで固定され、この取付板８０に相当する部材に下側取付部２３と上側取付部２４とがポケット部８５と筒体８６に相当する部材等で固定される構成、或いはヒンジ部を有する下側取付部若しくは上側取付部が角ナット６１若しくは角ナット７１に固定される構成等とすると、湾曲するトンネル内壁面２等の被取付面における下側レール部材４０と上側レール部材５０の取付位置の突出量の相違に柔軟に対応することが可能となる。
【産業上の利用可能性】
【００５１】
本発明は、例えば道路トンネルの内壁面にＬＥＤ照明灯具を取り付ける際に利用することができる。
【符号の説明】
【００５２】
１…道路トンネル  ２…トンネル内壁面  ３…路面  １０…ＬＥＤ照明灯具の取付構造  ２０、２０ａ…ＬＥＤ照明灯具  ２１…本体ケース  ２２…透光板  ２３…下側取付部  ２４…上側取付部  ２５、４３、５３、７２２、８２２、８４１…ボルト挿通孔  ３０…取付具  ４０…下側レール部材  ５０…上側レール部材  ４１、５１…レール本体  ４１１、５１１…開放部  ４２、５２…基板  ６０…下側摺動部  ７０…上側摺動部  ６１、７１…角ナット  ７２…ブラケット  ７２１…基面  ７２３…突出面  ７２４…長孔  ７３、９３、９５…ボルト  ８０…取付板  ８１…基板  ８２…Ｌ字金具  ８２１…屈曲面  ８３…ヒンジ部  ８４…固定板  ８５…ポケット部  ８６…筒体  ８６１…ナット部  ８６２…締付ボルト  ９１…コンクリートアンカー  ９１１…雄ねじ部  ９２、９４、９６…ナット
【図１】
2012252928.tif 000003
【図２】
2012252928.tif 000004
【図３】
2012252928.tif 000005
【図４】
2012252928.tif 000006
【図５】
2012252928.tif 000007
【図６】
2012252928.tif 000008
【図７】
2012252928.tif 000009
【図８】
2012252928.tif 000010
【図９】
2012252928.tif 000011
【図１０】
2012252928.tif 000012
【図１１】
2012252928.tif 000013